Podtech/llm-jp-corpus-v4-ja_patent huggingface dataset:
(57)【要約】【課題】軽い労力で多数本の杭を打ち込むことができる杭打ち工具を提供する。【解決手段】筒体２と、筒体２の上端部を塞ぐ重錘３とからなり、筒体２は、打ち込むべき杭Ｓの上方部分を収容できる内径と長さを有している。杭打ち工具１を作業員が両手で持って杭Ｓの上方部分に入れた状態で落下させると、杭打ち工具１の重量による衝撃が杭の打ち込み力に転化され杭Ｓが地中に打ち込まれる。この杭打ち作業は杭打ち工具１の持ち上げ、落下を繰返すことで足り、持ち上げ作業は両手で持って行えるので、筋力負担が両手に分散され疲れにくくなる。【選択図】図１
0003184978.tif 000002
【実用新案登録請求の範囲】
【請求項１】
筒体と、該筒体の上端部を塞ぐ重錘とからなり、
前記筒体は、打ち込むべき杭の上方部分を収容できる内径と長さを有している
ことを特徴とする杭打ち工具。
【考案の詳細な説明】
【技術分野】
【０００１】
本考案は、杭打ち工具に関する。さらに詳しくは、農作業や建築作業等で使用される杭を人力で打ち込むための杭打ち工具に関する。
【背景技術】
【０００２】
花を栽培するガーデニングや農作物の栽培を行う農作業では、圃場に多数の杭を打ち込み、それらの杭にビニルシートを取付けたり、ビニルハウスを固定したりすることが行われている。
これらの作業に用いられる杭は、長さ数１０ｃｍ位の小さいものから、１〜1.5ｍ位の大きいものまで様々であるが、打込み作業は人がハンマーや掛矢を使って行う人力作業である。
しかるに、杭の本数が多いときはハンマーや掛矢を振う腕が疲れてきて、能率が落ちたり怪我が生じたりしやすくなる。
【０００３】
特許文献１の従来技術は、掛矢で杭を打つときに用いるアタッチメントを開示している。このアタッチメントは杭の上端に被せておいて掛矢の打撃を受け止めて、杭の上端の損傷を防止し、かつ杭を支持する手を誤ったとしても打撃しないですむようにできる。
しかしながら、掛矢やハンマーを振う労力は従来技術と同じなので、打ち込むべき杭の本数が多いときは、疲労が激しく怪我も生じやすいという欠点は解消していない。
【先行技術文献】
【特許文献】
【０００４】
【特許文献１】特開２００１−３２９５３８号公報
【考案の概要】
【考案が解決しようとする課題】
【０００５】
本考案は上記事情に鑑み、軽い労力で多数本の杭を打ち込むことができる杭打ち工具を提供することを目的とする。
【課題を解決するための手段】
【０００６】
第１考案の杭打ち工具は、筒体と、該筒体の上端部を塞ぐ重錘とからなり、前記筒体は、打ち込むべき杭の上方部分を収容できる内径と長さを有していることを特徴とする。
【考案の効果】
【０００７】
第１考案によれば、杭打ち工具を作業員が両手で持って杭の上方部分に入れた状態で落下させると、杭打ち工具の重量による衝撃が杭の打ち込み力に転化され杭が地中に打ち込まれる。この杭打ち作業は杭打ち工具の持ち上げ、落下を繰返すことで足り、持ち上げ作業は両手で持って行えるので、筋力負担が両手に分散され疲れにくくなる。
【図面の簡単な説明】
【０００８】
【図１】本考案の一実施形態に係る杭打ち工具の正面図である。
【図２】図１の杭打ち工具の断面図である。
【図３】杭打ち作業の説明図である。
【考案を実施するための形態】
【０００９】
つぎに、本考案の実施形態を図面に基づき説明する。
図１および図２において、Ｓは地中に打ち込まれる杭である。杭自体は本考案の対象ではなく、長さや太さは任意であり、形状もパイプ状や棒状などで任意である。また、材料も任意であり特別の制限はない。
１は本考案の杭打ち工具であり、筒体２とその上端部を塞ぐ重錘３とからなる。筒体２は、中空の筒状物であり、その下端は開口し、上端には前記重錘３が固定されている。
【００１０】
筒体２の長さは、打ち込むべき杭Ｓの長さに合わせて選択される。具体的には、杭Ｓの上方部分を収容した状態で、更に長さに余裕がある必要がある。
筒体２の内径は、打ち込むべき杭Ｓの外径より大きく、杭Ｓを内部に収容できることが必要である。
【００１１】
筒体２の断面形状は円形でもよく角形でもよく任意である。
重錘３は筒体２の上端に熔接などで強固に固定されている。
重錘３は筒体２の重量と共に打ち込むべき杭に打撃を与えるに必要な重さを有するものである。
【００１２】
杭打ち工具１の材質にとくに制限はないが、鉄などの金属が必要な重量を確保でき、打撃によっても壊れないので好ましい。
【００１３】
（I：最初の作業）
（１）杭Ｓを地面Ｇに少し差し込み仮の自立状態とする。なお、人の手で支えていてもよい。そして、本考案の杭打ち工具１を杭Ｓの上方に両手ｈで持って持ち上げる。
【００１４】
（２）杭打ち工具１の下端部分を杭Ｓの上端部分に少し差し入れた状態とする。
（３）そして、手を杭打ち工具１から離すと、杭打ち工具１は落下し、その衝撃で杭Ｓを地中に打ち込む。これにより、杭Ｓの先端は少し地中に入る。
【００１５】
（II：次いで行う繰返し作業）
以後は、下記（２），（３）の作業を繰返す。
（２）杭打ち工具１を持ち上げる。
（３）杭打ち工具１を落下させ、杭Ｓを打ち込む。この作業は、杭Ｓが充分に地中に打ち込まれるまで続けられる。
【００１６】
（４）杭Ｓが充分に地中に打ち込まれると、作業は終了する。
【００１７】
杭打ち工具１を作業員が両手で持って杭Ｓの上方部分に入れた状態で落下させると、杭打ち工具１の重量による衝撃が杭Ｓの打ち込み力に転化され杭Ｓが地中に打ち込まれる。この杭打ち作業は杭打ち工具１の持ち上げ、落下を繰返すことで足り、持ち上げ作業は両手で持って行えるので、筋力負担が両手に分散され疲れにくくなる。
【符号の説明】
【００１８】
１  杭打ち工具
２  筒体
３  重錘
【図１】
0003184978.tif 000003
【図２】
0003184978.tif 000004
【図３】
0003184978.tif 000005
(57)【要約】      （修正有）【課題】照明器材の寿命を増加することが可能であり、そして照明器材からの光線は、カバーの下方及び側面をも均一で強く照明することが可能であるＬＥＤ球状照明器材を提供する。【解決手段】電源接続台３０に放熱台２０が設けられており、放熱台にカバー１０が設けられており、カバーの内部にＬＥＤ発光装置が配されており、ＬＥＤ発光装置は、放熱台の上面に設けられており、電源接続台と電気的に接続しているＬＥＤ球状照明器材において、カバーは、球状なケースであり、その最大ボール直径が放熱台の上面直径よりも大きく、放熱台の上面の周縁から外側に徐々に屈折して拡径する曲面を有し、これにより、照明の角度を拡大可能である。【選択図】図２
0003184979.tif 000002
【実用新案登録請求の範囲】
【請求項１】
電源接続台に放熱台が設けられており、前記放熱台にカバーが設けられており、前記カバーの内部にＬＥＤ発光装置が配されており、前記ＬＥＤ発光装置は、前記放熱台の上面に設けられており、前記電源接続台と電気的に接続しているＬＥＤ球状照明器材において、
前記カバーは、球状なケースであり、その最大ボール直径が前記放熱台の上面直径よりも大きく、前記放熱台の上面の周縁から外側に徐々に屈折して拡径する曲面を有し、これにより、照明の角度を拡大可能であることを特徴とするＬＥＤ球状照明器材。
【請求項２】
前記電源接続台の外周面に外ねじが形成されていることを特徴とする、請求項１に記載のＬＥＤ球状照明器材。
【請求項３】
前記放熱台の側辺にある周面には、貫通孔が少なくとも一つ設けられており、前記貫通孔により、対流効果を増加可能であり、ひいては放熱効果を増加可能であることを特徴とする、請求項１に記載のＬＥＤ球状照明器材。
【考案の詳細な説明】
【技術分野】
【０００１】
本考案は、ＬＥＤ（ｌｉｇｈｔ-ｅｍｉｔｔｉｎｇ  ｄｉｏｄｅ）球状照明器材に関し、特に、カバーの曲面により、照明の角度を増加可能なＬＥＤ球状照明器材に関するものである。
【背景技術】
【０００２】
照明技術の進展及び節電の概念により、発光ダイオードが照明器材に広汎に適用されている。一般的な発光ダイオードは、体積が小さくて、効率が高くて、電力の消耗が少ないなどの長所を有する。しかし、発光ダイオードを利用する従来の照明器材は、図３に示すように、照明の角度が小さくて、カバー８０が半球状を呈し放熱台９０に遮蔽されるため、カバー８０の下方及び側面の光線がより弱いという問題があった。
【考案の概要】
【考案が解決しようとする課題】
【０００３】
本考案の主な目的は、照明器材の寿命を増加することが可能であり、そして照明器材からの光線は、カバーの下方及び側面をも均一で強く照明することが可能であるＬＥＤ球状照明器材を提供することにある。
【課題を解決するための手段】
【０００４】
本考案のＬＥＤ球状照明器材によると、電源接続台に放熱台が設けられており、放熱台にカバーが設けられており、カバーの内部にＬＥＤ発光装置が配されており、ＬＥＤ発光装置は、放熱台の上面に設けられており、電源接続台と電気的に接続しているＬＥＤ球状照明器材において、
カバーは、球状なケースであり、その最大ボール直径が放熱台の上面直径よりも大きく、放熱台の上面の周縁から外側に徐々に屈折して拡径する曲面を有し、これにより、照明の角度を拡大可能であることを特徴とする。
【０００５】
本考案のＬＥＤ球状照明器材によると、電源接続台の外周面に外ねじが形成されていることを特徴とする。
【０００６】
本考案のＬＥＤ球状照明器材によると、放熱台の側辺にある周面には、貫通孔が少なくとも一つ設けられており、貫通孔により、対流効果を増加可能であり、ひいては放熱効果を増加可能であることを特徴とする。
【考案の効果】
【０００７】
本考案のＬＥＤ球状照明器材によれば、次のような効果がある。
（１）放熱台及び貫通孔により、空気の対流効果を増加可能であり、ひいては照明器材の放熱効果を増加することが可能である。このように、照明器材の寿命を増加することが可能である。
【０００８】
（２）カバーは、球状なケースであり、その最大ボール直径が放熱台の上面直径よりも大きく、放熱台の上面の周縁から外側に徐々に屈折して拡径する曲面を有するため、照明の角度を拡大可能である。このように、照明器材からの光線は、カバーの下方及び側面をも均一で強く照明することが可能である。
【図面の簡単な説明】
【０００９】
【図１】本考案の一実施例を示す分解斜視図である。
【図２】本考案の一実施例の使用状態を示す模式図である。
【図３】従来の照明器材の使用状態を示す模式図である。
【考案を実施するための形態】
【００１０】
以下、本考案の実施の形態を図面に基づいて説明する。
図１及び図２を参照する。図１は本考案の一実施例を示す分解斜視図であり、図２は本考案の一実施例の使用状態を示す模式図である。本考案の一実施例のＬＥＤ（ｌｉｇｈｔ-ｅｍｉｔｔｉｎｇ  ｄｉｏｄｅ）球状照明器材は、電源接続台３０に放熱台２０が設けられており、放熱台２０にカバー１０が設けられており、カバー１０の内部にＬＥＤ発光装置４０が配されており、ＬＥＤ発光装置４０は、放熱台２０の上面に設けられている。放熱台２０の側辺にある周面には、貫通孔２１が少なくとも一つ設けられている。貫通孔２１により、対流効果を増加可能であり、ひいては放熱効果を増加可能である。ＬＥＤ発光装置４０は、電源接続台３０と電気的に接続している。電源接続台３０の外周面に外ねじ３１が形成されている。また、カバー１０は、球状なケースであり、その最大ボール直径１０Ａが放熱台２０の上面直径２０Ａよりも大きく、放熱台２０の上面の周縁から外側に徐々に屈折して拡径する曲面１１を有する。このように、透光性を有するカバー１０の表面積が増加し、ＬＥＤ発光装置４０の放熱台２０による遮蔽を減少可能であり、照明の角度を拡大することが可能である。
【００１１】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００１２】
本考案は、ＬＥＤ照明器材に適用することができる。
【符号の説明】
【００１３】
１０  カバー
１０Ａ  最大ボール直径
１１  曲面
２０  放熱台
２０Ａ  上面直径
２１  貫通孔
３０  電源接続台
３１  外ねじ
４０  ＬＥＤ発光装置
８０  カバー
９０  放熱台
【図１】
0003184979.tif 000003
【図２】
0003184979.tif 000004
【図３】
0003184979.tif 000005
(57)【要約】      （修正有）【課題】支柱どうしの連結を容易にし、簡単に柵や棚を作ることができる園芸用支柱を提供する。【解決手段】園芸用支柱の上部をＶ（ブイ）形、又はＵ（ユウ）形の溝をつけた支柱Ａを特徴とし、Ｖ（ブイ）形及びＵ（ユウ）形の溝の真下の横に穴Ｄを開けた支柱、又  支柱上部に二つの穴を開けた支柱で、一つ目の穴の真下の横に二つ目の穴を開けた支柱、および支柱の長短、太細に関係無く、支柱の穴も二つだけで無く１０ｃｍから数ｃｍの間隔をあけて、多数の穴がある支柱を特徴とする。【選択図】図１
0003184902.tif 000002
【実用新案登録請求の範囲】
【請求項１】
園芸用支柱の上部をＶ（ブイ）形、又はＵ（ユウ）形の溝をつけた支柱を特徴とし、Ｖ（ブイ）形及びＵ（ユウ）形の溝の真下の横に穴を開けた支柱、又  支柱上部に二つの穴を開けた支柱で、一つ目の穴の真下の横に二つ目の穴を開けた支柱、および
支柱の長短、太細に関係無く、支柱の穴も二つだけで無く１０ｃｍから数ｃｍの間隔をあけて、多数の穴がある支柱を特徴とする園芸用支柱。
【考案の詳細な説明】
【考案の詳細な説明】
【０００１】本考案は請求項１の形態の園芸用支柱を用いることで容易に柵や棚を作ることが出来る。
Ｕ、Ｖ形支柱いずれかを四方の土に挿し前後のＵ、Ｖ形に連結用の横棒を置き横棒の上に縦、横と棒を設置することで格子状の棚として使用でき、棚の下には種類の異なる作物を植えて楽しめる。又
Ｕ、Ｖ形の真下横の穴には連結用の棒を通す、その棒に同じ穴あき支柱を数多くの通すと柵として使用でき、柵には網を張ると、つる状の作物を絡ませることが容易である、穴あきが多数の支柱も同じように使用できる。
【技術分野】
【０００２】本考案は園芸用支柱に関するものである。
【考案の概要】
【０００３】
【考案が解決しようとする課題】
【０００４】支柱どうしを接続するにいろいろなジョイントを使用して手間が掛かる。
【課題を解決するための手段】
【０００５】支柱単体上部をＵ形、Ｖ形に改良しその真下横に穴を開けた。
【考案の効果】
【０００６】連結棒を使用して容易に柵や棚を作ることができる。
【図面の簡単な説明】
【０００７】
【図１】支柱上部がＵ形（１）Ｖ形（２）の支柱
【図２】二つ穴の支柱
【図３】一つ穴と多数の穴の支柱
【考案を実地するための形態】
【実施例】
【０００８】図１（１）Ｕ形の支柱や（２）Ｖ系の支柱には連結用の棒を置く
支柱の穴にも連結用の棒を差し入れ、柵や棚を容易に作ることができる。
【符号の説明】
【０００９】図１  Ａ支柱
（１）Ｕ形Ｂ（２）Ｖ形Ｃ
Ｄ穴
図２  Ａ支柱
Ｄ二つ穴
図３  Ａ支柱
Ｄ穴多数有
【図１】
0003184902.tif 000003
【図２】
0003184902.tif 000004
【図３】
0003184902.tif 000005
(57)【要約】      （修正有）【課題】熱湯による蓋の反り返りを防止できるカップ麺容器の蓋を提供する。【解決手段】円形の蓋１の周囲に花びらの様な凸部２を数多く設け、発砲スチロールで出来ているカップ麺容器３の入り口周囲にある鍔４に蓋の凸部を、内側に抱き抱えるように折り曲げて、フック機能を創出させる。個々の凸部のフック効果は小さくとも、数が増すほどに効果は大きくなり、蓋の反り返りを封じる事が出来る。【選択図】図３
0003184904.tif 000002
【実用新案登録請求の範囲】
【請求項１】
カップ麺の容器に貼り付けて用いられている円形の蓋（１）において，容器（３）を開封するために剥がされて、反り返えってしまった蓋を、容器に熱湯を注いだ後に再利用する事を容易にするため、円形の蓋（１）の周囲を、花びらの様な凸部（２）を等間隔に複数設けて、凸部（２）を容器の鍔（４）に折り曲げてひっ掛ける事により、フックとなる機能を創出させ、蓋（１）が反り返るのを抑え込んだ事を特徴とするカップ麺容器の蓋
【考案の詳細な説明】
【産業上の利用分野】
【０００１】  カップ麺を調理して食するときは、容器を密封している蓋を半分程剥がして開封し、麺と一緒に容器内に入れられている、垂れ袋や、薬味袋を容器より出し、麺に味を添えた後に熱湯を注ぎます、麺が程よく柔らかくなるまで数分の時間が必要です、この間に熱湯が冷めないように蓋をします、しかし、強制的に一度剥がした蓋は反り返るため、上手に被せることが困難です、そこで何か重しを乗せねばなりません、蓋は熱湯の熱で益々反り返りますし、熱湯から出る蒸気を抑え込まねばなりません、それなりの重しを探すのに苦労しました、本考案は、蓋の周囲に反り返るのを封じるフック機能を持たせる事により、前述の不便をすることなく、食する事が出来るカップ麺容器の蓋を提供しようとするものである。
【従来の方法】
【０００２】  容器から強制的に剥がした蓋は反り返ってしまい、再利用する際に蓋としての用を果たす事ができません、そこで蓋に重しを乗せて、麺が程よく柔らかくなるのを待ちました、しかし、蓋の裏面は熱湯で暖められるために，さらに反り返ってしまいます、重しは平らでそれなりの大きさと重量が求められ、適当な重しを探すのに苦労しました、又、従来の蓋には、蓋を剥がすための摘みが設けられていますが、摘みは容器を開封するために形成された凸部であり、反り返る蓋を抑え込む程の働きはありませんでした、
【考案が解決しようとする課題】
【０００３】  カップ麺の容器を開封するため、貼り付けられている蓋を半分程剥がし、熱湯を注いだ後に、再び蓋を被せようとした時、反り返る蓋の反発を抑えなければなりません、近くに適当な重しが見当たらず不便な思いをする事があります、その様な不便を解消するために、重しを乗せて蓋の反り返りを抑える従来の方法を改め、円形の蓋の周囲にフックとなりえる凸部を設けて、凸部に蓋が反り返るのを抑えるための機能を持たせたい、
【課題を解決するための手段】
【０００４】  容器を開封するために強制的に剥がされて、反り返ってしまった蓋を再度容器に被せて利用するために、図１で示すように円形の蓋（１）の周囲に花びらの様な凸部（２）を数多く設けました、発砲スチロールで出来ているカップ麺の容器（３）には、容器の入り口の周囲に鍔（４）がついています、本考案はこの鍔（４）を抱き抱えるように凸部（２）を、図３で示すように指で次々と内側に折り曲げます、鍔（４）に凸部の先がひっ掛けられることで、凸部（２）にフックとなる機能を創出させ、蓋の反り返る力を封じました、
【考案を実施するための形態】
【０００５】  本考案のカップ麺容器の蓋（１）を、再度利用して容器に被せるときは、容器に熱湯を注いだ後に反り返る蓋（１）を手で抑え、もう一方の手で円形の蓋の周囲に設けた凸部（２）を、内側に次々と折り曲げてフック機能を創出します、容器（３）の鍔（４）にひっ掛けられた、個々の凸部（２）のフックとしての効果は小さくとも、数が増すほどに効果は大きくなります、又、カップ麺容器の蓋（１）の材質は紙で出来ており、防水処理がほどこされていますので、フック機能は持続し簡単に外れる事はなく、蓋に重しを乗せなくとも、蓋の反り返る力を抑え込むことが出来るのです、
【考案の効果】
【０００６】  本考案は上述の通り構成されているので次ぎに記載する二つの効果を奏する。
【０００７】  ▲１▼蓋の周囲に花びらのように複数設けた凸部（２）を次々と折り曲げて、フック機能を創出し、容器（３）の鍔（４）にひっ掛けることにより、蓋（１）の反り返る力を封じる事ができますので、重しを乗せる不便が解消されます，
【０００８】  ▲２▼蓋の周囲に花びらのように複数設けた凸部（２）には、容器の蓋を剥がすときの、摘みとしての効果も合わせ持ちます、複数設けた凸部の個々のつまみ効果は同じですので、蓋（１）は容器の周囲のどの位置からも開封することが出来ます。
【図面の簡単な説明】
【０００９】
【図１】  蓋の平面図
【図２】  カップ麺容器に施した蓋の斜視図
【図３】  カップ麺容器に施した蓋の断面図
【符号の説明】
【００１０】  １  蓋
２  凸部
３  容器
４  鍔
【図１】
0003184904.tif 000003
【図２】
0003184904.tif 000004
【図３】
0003184904.tif 000005
(57)【要約】      （修正有）【課題】帯あげを、いかにしわのない美しい状態で保管し、かつ速やかに出し入れと整理ができるスライド式布類収納箱を提供する。【解決手段】箱に棒を渡して帯揚げを掛けて収納し、かつ棒を前後にスライドさせることにより、出し入れしやすく色柄が見やすい収納ができるものである。【選択図】図１
0003184773.tif 000002
【実用新案登録請求の範囲】
【請求項１】
布製品を棒に掛けて収納する事を特徴とする収納箱である
【請求項２】
収納された帯揚げを掛けた状態で前後に移動できる事を特徴とするスライド式収納箱である。
【請求項３】
平面のものを掛けて収納することにより、保管状態や整理のしやすさを改善する事を目的とするスライド式収納システムである。
【考案の詳細な説明】
【技術分野】
【０００１】  本考案は、布類収納（箱）に関する技術分野である
【背景技術】
【０００２】  従来の帯揚げ収納は、単に箱型の引き出しに、たたんで重ねる。
又は丸めて並べるだけのものであった。
【先行技術文献】
【考案の概要】
【考案が解決しようとする課題】
【０００３】  従来の収納方法では、一度使用するたびに収納物が乱れてしわになりやすく、重ねて収納していると色柄かわかりづらく、出し入れもしにくいという状態であった。
そこで本考案は、帯揚げをいかにしわのない美しい状態で保管し、かつ速やかに出し入れと整理ができるかという事を課題とする。
【課題を解決するための手段】
【０００４】  以上の課題を解決するために、箱に棒を渡して１枚ずつ帯揚げを掛けて収納するものとし、かつ棒を前後にスライドさせることにより、出し入れしやすく見やすい収納ができるものである。
【考案の効果】
【０００５】  掛けて収納することにより、使いやすさの他、絹素材が主である帯揚げの、使用後の湿気やしわを取り除くなどの２次的効果も期待できる。また引き出しにすることにより、長期保管においても、色やけやほこりを防止する効果もある。
【図面の簡単な説明】
【０００６】
【図１】本考案の引き出しを開けた状態を示した外観図である。
【図２】収納箱の内箱を上から見た図である
【産業上の利用可能性】
【０００７】  本考案は、帯揚げという１枚の布状のものを収納するための収納箱であるが、このシステムを利用し、同じような形態であるスカーフ・ショール・テーブルクロス・紙類など、大きさや素材を変えることにより、個人使用の他、店舗のディスプレイや在庫管理のための収納として利用できるものである
【符号の説明】
【０００８】１．外箱
２．内箱
３．４を通すための棒
４．可動式バー
【図１】
0003184773.tif 000003
【図２】
0003184773.tif 000004
【手続補正書】
【提出日】平成25年4月19日(2013.4.19)
【手続補正１】
【補正対象書類名】実用新案登録請求の範囲
【補正対象項目名】全文
【補正方法】変更
【補正の内容】
【実用新案登録請求の範囲】
【請求項１】
外箱と、内箱と、前期内箱に取り付けられた２本の棒と、可動式バーと、を備え、前期可動式バーの両端が前記２本の棒にそれぞれ取り付けられたことを特徴とするスライド式布類収納箱。
【請求項２】
前記可動式バーは、前期２本の棒に対して平行な方向に移動可能に取り付けられたことを特徴とする請求項１に記載のスライド式布類収納箱。
(57)【要約】      （修正有）【課題】災害時に利用できる綿花布を提供する。【解決手段】白地布一枚に色を染めることにより、おしゃれな綿花布に変わり避難用品の一種類にし、常に一枚身近におく事で、安心が得られ、災害時には身を守る道具となる。【選択図】図１
0003184772.tif 000002
【実用新案登録請求の範囲】
【請求項１】
綿布地に色を染め、避難用品の一種類とした綿花布である。
【考案の詳細な説明】
【技術分野】
【０００１】  本考案は、災害時に利用できる災害用品に関するものである。
【背景技術】
【０００２】  日本古来の織物の布が災害時の活用に活かされていない。
【考案の概要】
【考案が解決しようとする課題】
【０００３】  避難用品の一種類とし、災害時に誰もがすぐ利用できる様にする事を解決しようとするものである。
【課題を解決するための手段】
【０００４】  白の布地のままでは、人々に受け入れにくいため、それに色を染める事により、見た目もおしゃれになり、持ち歩きやすくなり、前述の欠点を解決しようとするものである。
【考案の効果】
【０００５】  地震、津波等災害に対して、綿花布を避難用品の一つとして、バックやカバン等に入れておいたり、また、家庭に置くなど、身近にあれば体重や身長に関係なく誰もが赤ちゃんや、小さな子ども等おんぶする事ができるし、包帯、三角巾、マフラー、帽子などたった一枚の綿花布が前述の事に誰もがすぐ利用できるので、身の安全、安心につなぐ事が可能になる。
【図面の簡単な説明】
【０００６】
【図１】  本考案の避難用品の一種類の実施例を示す正面図である。
【考案を実施するための形態】
【０００７】  綿花布を一枚、避難用品の一種類として広く世の中に浸透させる事が可能となる。
【実施例】
【０００８】  以下添付図面に従って、一実施例を説明する。
ＡからＤまで回りに１ｃｍの切り込みを２０箇所入れることにより、簡単に引き裂く事ができ、用途によって使いやすくなる。
【符号の説明】
【０００９】  １  白地綿布  本体一枚
【図１】
0003184772.tif 000003
【手続補正書】
【提出日】平成25年4月19日(2013.4.19)
【手続補正１】
【補正対象書類名】実用新案登録請求の範囲
【補正対象項目名】全文
【補正方法】変更
【補正の内容】
【実用新案登録請求の範囲】
【請求項１】
四辺形の布地であって、染色されており、二辺に複数の切り込みを備えたことを特徴とする綿花布。
【手続補正２】
【補正対象書類名】明細書
【補正対象項目名】全文
【補正方法】変更
【補正の内容】
【考案の詳細な説明】
【技術分野】
【０００１】  本考案は、災害時に利用できる災害用品に関するもの
【背景技術】
【０００２】  日本古来の織物の布が災害時の活用に活かされていない。
【考案の概要】
【考案が解決しようとする課題】
【０００３】  染色された四辺形の白地布が、災害時には何通りにも役立つ物と変わる事が可能になり、前述の欠点を解決しょうとする。
【課題を解決するための手段】
【０００４】  白地布に染色する事により、おしゃれな綿花布となり、人々に受け入れやすく問題点を解決している。
【考案の効果】
【０００５】  地震、津波等災害に対してこの綿花布を防災用品とし、常にバックやカバン等に入れ持ち歩き、又家庭や職場の玄関に置く。身近にそれがあれば、いざと言う時に体重や身長に関係なく誰もが赤ちゃんや小さな子どもなど、おんぶする事が可能となる。そして、おむつ、包帯、三角巾、マフラー、帽子などと、たった一枚の綿花布が多種の代用品となり、身の安全を守る道具として役立つ。
【図面の簡単な説明】
【０００６】
【図１】  本考案の防災用品の一種類の実施例を示す正面図
【考案を実施するための形態】
【０００７】  綿花布を防災用品として、広く世の中に浸透させる事が可能となる
【実施例】
【０００８】  以下添付図に従って一実施例を説明する。
ＡからＢの間に０．５ｍｍの切り込みを５本入れる。ＡからＣの間に０．５ｍｍの切り込みを４本入れる。これを入れる事により、布を簡単に引き裂く事ができ、用途によって使いやすくなる。
【符号の説明】
【０００９】  １  白地布  本体一枚
【手続補正３】
【補正対象書類名】図面
【補正対象項目名】全図
【補正方法】変更
【補正の内容】
【図１】
0003184772.tif 000004
(57)【要約】      （修正有）【課題】重量に対応し出力を変化させ、燃料を節約するエンジン装置を提供する。【解決手段】車両本体１に設けられた重量センサー３と、車両本体に設けられたエンジン２と、重量センサーと前記エンジンとを接続する接続線４を備え、重量センサーは、車両が運搬している重量を検出するものであり、エンジンは、検出された重量に応じて、出力を変化させるものであることを特徴とする。【選択図】図１
0003184771.tif 000002
【実用新案登録請求の範囲】
【請求項１】
重量センサーで感知した重量にも依拠したエンジン出力で燃料を節約することを特徴とするスピードとともに運搬重量にも依拠し出力を変化させるエンジン
【考案の詳細な説明】
【技術分野】
【０００１】  本考案は、運搬重量により出力を変化させ燃量を節約するというエンジンに関するものである。
【背景技術】
【０００２】  従来車のエンジン出力は、スピードに依拠し運搬重量に応じて変化すると言うことはなかった
【考案の概要】
【考案が解決しようとする課題】
【０００３】  スピード依拠するエンジン出力は、運搬重量が積載量限界であれ、運転者一人であれ変化なく、重量の変化に対応した燃量の節約ができなかったというような欠点を解決しょうとするためのものである。
【課題を解決するための手段】
【０００４】  車に重量センサーを付けておき、その重量にエンジンの出力を連動させる。
【考案の効果】
【０００５】  乗客が０の状態で走っているバスとか、最近は、車の乗車人数が運転者１名とか言うのも多くその場合力学的に言って出力を押さえることができ、燃料を節約することができる
【図面の簡単な説明】
【０００６】
【図１】車本体、エンジン、重量センサー
【考案を実施するための形態】
【０００７】  車に重量センサーを取り付け、その時々の重量と連動したエンジン出力にする
【実施例】
【０００８】  以下添付図に従って一実施例を説明する
図１は車本体と取り付けられた重量センサーとエンジン
【符号の説明】
【０００９】  １．車本体
２．エンジン
３．重量センサー
４．連動させるための線
【図１】
0003184771.tif 000003
【手続補正書】
【提出日】平成25年4月11日(2013.4.11)
【手続補正１】
【補正対象書類名】実用新案登録請求の範囲
【補正対象項目名】全文
【補正方法】変更
【補正の内容】
【実用新案登録請求の範囲】
【請求項１】
車両本体に設けられた重量センサーと、車両本体に設けられたエンジンと、前記重量センサーと前記エンジンとを接続する接続線を備え、前記重量センサーは、車両が運搬している重量を検出するものであり、前記エンジンは、検出された前記重量に応じて、出力を変化させるものであることを特徴とするエンジン装置。
(57)【要約】      （修正有）【課題】内部の清掃が充分でき、細菌の発生も防げて衛生的な包丁差しを提供する。【解決の手段】包丁差し込みの部分を本体の正面部分と同体にして取りつけたり、本体と分離して清掃、洗浄できるようにする。固定するのではなくシンクのふちに引っ掛けて使用するので本体及び包丁差し込み部分もシンクなどの水槽に漬けて洗浄でき、衛生的で細菌の繁殖も押さえられる。【選択図】図６
0003184766.tif 000002
【実用新案登録請求の範囲】
【請求項１】
内部の清掃をしやすくするために、本体と包丁差し込み部分を分離した包丁差し用器具
【請求項２】
壁面や、シンクに固定するのではなく、シンクのふちなどに引っ掛けて使用し、シンクの水槽などに漬けて洗浄ができる包丁差し用器具
【考案の詳細な説明】
【技術の分野】
【０００１】  本考案は、シンクの周囲などに設置する包丁差しの衛生問題に関する
【背景技術】
【０００２】  従来の包丁差しは、包丁差し口と本体が一体の為、内部の清掃が充分にできなかった
【考案の開示】
【考案が解決しようとする課題】
【０００３】  そのために内部の清掃が不充分で衛生的でなかった
【問題を解決するための手段】
【０００４】  そこで、包丁差しの本体と包丁差し込み部分を分離する方法を考案した（図６）このため内部の清掃が充分できるようになった
【考案の効果】
【０００５】  よって本考案により、内部の清掃が充分できるようになり細菌の発生も防げて衛生的によくなった
【考案を実施するための最良の形態】
【０００６】  本考案に係る包丁差し用器具（図５）は、図６に示すように本体と包丁差し込み部分を分離することで、内部の清掃をしやすくして、すみずみまで清掃することができる
又、固定するのではなくシンクのふちに引っ掛けて使用するので本体及び包丁差し込み部分もシンクなどの水槽に漬けて洗浄でき、衛生的で細菌の繁殖も押さえられる
尚、材料はステンレス、その他の金属、樹脂、木材等で製作できるが、ステンレスが特に適している
【図面の簡単な説明】
【０００７】
【図１】  本考案に係る包丁差し用器具の正面図である
【図２】  本考案に係る包丁差し用器具の側面図である
【図３】  本考案に係る包丁差し用器具の平面図である
【図４】  本考案に係る包丁差し用器具の底面図である
【図５】  本考案に係る包丁差し用器具の斜視図である
【図６】  本考案に係る包丁差し用器具の本体と包丁差し部分を分離、又は合体を示す（矢印）斜視図である
【図７】  本考案に係る包丁差し用器具の本体の斜視図である
【図８】  本考案に係る包丁差し用器具の包丁差し込み部分の斜視図である
【符号の説明】
【０００８】  １  本体
２  包丁差し部分
３  引掛金具
４  包丁差し込み口
５  底部水抜き穴
【図１】
0003184766.tif 000003
【図２】
0003184766.tif 000004
【図３】
0003184766.tif 000005
【図４】
0003184766.tif 000006
【図５】
0003184766.tif 000007
【図６】
0003184766.tif 000008
【図７】
0003184766.tif 000009
【図８】
0003184766.tif 000010
【手続補正書】
【提出日】平成25年2月1日(2013.2.1)
【手続補正１】
【補正対象書類名】実用新案登録請求の範囲
【補正対象項目名】全文
【補正方法】変更
【補正の内容】
【実用新案登録請求の範囲】
【請求項１】
本体の左右をみぞ型にして、上部の包丁差し込口と本体の正面部分を一体にして本体と分離する構造にした包丁差し用器具
【手続補正書】
【提出日】平成25年4月19日(2013.4.19)
【手続補正１】
【補正対象書類名】実用新案登録請求の範囲
【補正対象項目名】全文
【補正方法】変更
【補正の内容】
【実用新案登録請求の範囲】
【請求項１】
包丁差し用器具であって、左右に溝を形成し、正面部に間隙を形成してなる本体部と前記包丁差し用器具の正面に配置される板状体の上部に包丁差し込み口を一体化させてなる包丁差し込み部分とからなり、前記本体部と前記包丁差し込み部分とを互いに分離可能としたことを特微とする包丁差し用器具。
(57)【要約】      （修正有）【課題】家庭で日常的に利用できる日常用ゴーグルを提供する。【解決手段】レンズ部に軟質透視部材１を用い、レンズ部の縁に弾性素材４を組み合わせ、さらにその縁を基材不織布２等の素材で覆う構成とする。これにより、顔への密着や気密性が向上し、花粉等の侵入を防ぐ効果が得られる。【選択図】図２
0003184788.tif 000002
【実用新案登録請求の範囲】
【請求項１】
弾性部材を設けた軟質の透視部材の縁を基材不織布、布等様々な素材で覆ったことを特徴とする日常用ゴーグル。
【考案の詳細な説明】
【技術分野】
【０００１】  本考案は、レンズ部に軟質の透視部材を用い、縁に弾性素材を設け、耳にゴム紐でかけることの出来る日常用ゴーグルに関するものである。
【背景技術】
【０００２】  従来、ゴーグルというのは水泳、スキー、医療用等の様々なゴーグルがあるが、どれも専門的に特化した形状であり、日常生活で使用するには適さない。【０００３】  特許文献１は、簡易ゴーグルが開示されている。
【先行技術文献】
【特許文献】
【０００４】
【特許文献１】特開２００６−３１３２９７号広報
【考案の概要】
【考案が解決しようとする課題】
【０００５】  日常生活で利用するには様々な課題が考えられる。まず、ゴーグルは頭部にゴムを回し掛けなければならず、髪形が乱れてしまう。【０００６】  花粉対策メガネは構造上隙間が開いている為、完全に花粉の侵入を防ぐことが出来ない。また、花粉対策ゴーグルは、硬質な為、折り曲げることも出来ず、小さな鞄にいれ携帯するには適さない。【０００７】  特許文献１では簡易ゴーグルが開示されているが、透視部材の縁に弾性素材を設けることの記述はなく、顔への密着や気密性の甘さが考えられる。
【課題を解決するための手段】
【０００８】  上記課題を解決するために、本考案である、請求項１に記載の日常用ゴーグルを提供する。
【考案の効果】
【０００９】  本考案の日常用ゴーグルは、レンズ部は軟質の透視部材から成る。その為、折り曲げることが可能であり、携帯も容易である。また、頭部に回し掛けずに利用することが可能な為、髪形が乱れる虞がない。【００１０】  レンズの透視部材の縁は、弾性素材から成るため、顔に密着させることができ、気密性にも優れ、花粉や埃等が目に入ることを防ぐことが出来る。【００１１】  また、構造はスポーツや、医療用の物よりも簡易的な為、家庭での掃除等によるほこり、外出時の花粉等の目への侵入防止、ヘアスプレーの使用時等、日常の様々な用途に適している。
【図面の簡単な説明】
【００１２】
【図１】  日常用ゴーグル正面図（実施例１）
【図２】  日常用ゴーグル裏面図
【図３】  弾性素材下部構造図
【考案を実施するための形態】
【００１３】  以下、本考案を具体化した実施形態を図面に基づき説明する。
【実施例１】
【００１４】  図１は本考案の１実施例を示した。図１、図２、図３の１から４は同様である。図１に示される様に、本考案の日常用ゴーグルは、レンズ部は軟質透視部材１から成る。【００１５】  弾性素材４は、目の部分の機密性を高めるため、目の横の窪みに合わせた形状が望ましい。また、弾性素材４の鼻との接地部は、図３の様に鼻の窪みと、頬骨の形に合わせたカーブを有するのが望ましい。【００１６】  上記実施例において、この考案の要旨を変更しない範囲で種々の設計変更、不織布の素材の変更、紐の素材の変更等を施すことができる。
【産業上の利用可能性】
【００１７】  本考案の日常用ゴーグルは、持ち運びにも適し、家庭で簡易に利用できる。そのため、花粉症対策、清掃時のほこり防止、ヘアスプレーの吸入防止や目の保護もできる等、用途に制限なく日常的に利用ができる。更に、基材不織布を、柄付きや色付きの布に変更することで、普段ゴーグルの利用を躊躇していた人にも受け入れやすい見た目にできる。その為、現在よりも幅広い世代からの需要が見込まれる。また、花粉症患者は増加傾向にあり、ほこりによるアレルギー患者も同様に増加している。また、気密性にも優れている為、近年増加しているドライアイの対処療法の利用可能性も考えられる。そのため需要は継続的であり、製造、運送、販売等に大きく貢献できる。
【符号の説明】
【００１８】  １  軟質部材
２  基材不織布
３  ゴム紐
４  弾性素材
【図１】
0003184788.tif 000003
【図２】
0003184788.tif 000004
【図３】
0003184788.tif 000005
(57)【要約】      （修正有）【課題】屋根の上に設置する効率の良い融雪装置を提供する。【解決手段】温水器１で発生させた水やクーラント等を温めた液体をポンプ２で屋根用融雪装置４へと送り込み、屋根用融雪装置の中心に設置されている水流モーターに向かい渦巻き状に配管されている伝熱性の良い配管３を水やクーラント等を温めた液体が通過することで、熱はパンチングメタル６に伝わり屋根用融雪装置内を温めたところに、ポンプで発生させた水流で水流モーター８を回し、水流モーターの上部に取り付けたファンを回すことで、パンチングメタルの熱を屋根材へと温風を送り込み屋根材を温め、かつ屋根用融雪装置の妻側と軒先側の隙間に差をつけることで温風を妻側に流し込むことで融雪装置周辺に発生するかまくらの様な状況を防ぎ融雪能力を高める。【選択図】図１
0003184785.tif 000002
【実用新案登録請求の範囲】
【請求項１】
パンチングメタルの上に設置してある水流ポンプと水流モーターを中心とした渦巻き状に伝熱性の良い配管を設置されている屋根用融雪装置に、温水器により出来た水やクーラント等を温めた液体をポンプで送り込むことでパンチングメタルを温められたところに、ポンプで生まれた水流を動力に水流モーターを回し、水流モーター上部に取り付けたファンが回ることで生じた風がパンチングメタルを通過することで温風に変えることで屋根材を温め屋根上の雪をとかす融雪装置。
【請求項２】
屋根用融雪装置の妻側に絞りをつけて、一方で屋根用融雪装置の軒先側を屋根材との角度を広げることで軒先側から妻側へと風が流れやすくして、パンチングメタルから通過する温風が妻側へと流れやすくすることで妻側の雪をとかし、もし妻側又は軒先側が雪で風の流れを遮断されてもパンチングメタルと水流モーターで発生した温風でかまくらの様な状況を防止する特徴を有する請求項１記載の融雪装置。
【考案の詳細な説明】
【技術分野】
【０００１】  本装置は、屋根の上に設置する融雪装置である。
【背景技術】
【０００２】  屋根用融雪装置は、電気により発生する熱を利用した融雪装置と温水器により発生する熱を利用した融雪装置がある。
【先行技術文献】
【０００３】  屋根用融雪装置は、電熱線や配管が屋根材の上の全面又は軒の所だけを取り付けて屋根を温めることで、屋根に積もる雪をとかしている。
【０００４】  軒の所だけに施工する屋根用融雪装置のタイプは、軒の所の雪をとかした後に妻側から雪が流れ込むことで屋根の上に積もる雪をとかすもので、全面に設置するタイプより、費用の面で優れている。
【考案の概要】
【考案が解決しようとする課題】
【０００５】  降雪量の多い日や外気温が低い日だと、従来の屋根用融雪装置を稼働させると屋根用融雪装置の電熱線や配管がある所だけがとけ、電熱線や配管から少し離れた位置から電熱線や配管を雪で覆うかまくらの様な状況が発生する。【０００６】  特に軒の所だけに設置する場合、電熱線及び配管を中心にかまくらの様な状況を発生させることで妻側にも雪がたまり融雪装置の稼働時間が増える。
【課題を解決するための手段】
【０００７】  温水器から水やクーラント等を温めた液体を送り込む配管の下にパンチングメタルをしき、配管からでる熱をパンチングメタルに伝熱させる。【０００８】  屋根用融雪装置の中程には温水器から水やクーラント等を温めた液体を通す伝熱性の良い配管と繋がっている水流モーターを設置し、水流モーターの上部にはファンを取り付けることでファンを回し、パンチングメタルに伝わっている熱を屋根の方に吹き付ける。【０００９】  屋根用融雪装置のパンチングメタルと屋根との間には取付台で固定し、パンチングメタルと屋根との間には風が軒先側から流れやすいように隙間を設け、軒先側から流入する空気により暖かい空気は妻側へと流出し雪をとかす。
【考案の効果】
【００１０】  パンチングメタルを用いることで融雪装置内全体に熱を早く供給することができるのと、ポンプから送られる水やクーラント等を温めた液体の水流で水流モーターを動かし、水流モーターの上部に付けたファンを回すことで暖かい空気を屋根に供給することができる。【００１１】  また、屋根用融雪装置周辺にかまくらの様な状況が発生しても温風を供給することで、かまくらの様な状況を解消する。
【図面の簡単な説明】
【００１２】
【図１】概略図
【図２】カバーを外して上から見た屋根用融雪装置
【図３】縦断面図
【考案を実施するための形態】
【００１３】  温水器１から作られた水やクーラント等を温めた液体をポンプ２により保温性の良い配管１４内を通って屋根用融雪装置４へと送る。
【００１４】  屋根用融雪装置４は、屋根材５とパンチングメタル６との間を取付台７により固定し、屋根材５と屋根用融雪装置４との間に隙間を作る。
【００１５】  ポンプ２で押し上げられた水やクーラント等を温めた液体は屋根用融雪装置４のパンチングメタル６上を水流モーター８に向かって渦を描くように伝熱性の良い配管３を設置し屋根用融雪装置４内を温める。
【００１６】  渦巻き状に設置された伝熱性の良い配管３内をとおる水やクーラント等を温めた液体は水流モーター８のギヤを回すことで水流モーター８上部に取り付けたファン９を回し、伝熱性の良い配管３により温まったパンチングメタル６の熱を屋根材５へと吹き付ける。
【００１７】  水流モーター８を通過した水やクーラント等を温めた液体は保温性の良い配管１４をとおり次の屋根用融雪装置４に送られ、最終的には温水器１へと返送され再度温め、これを繰り返すことで屋根の雪をとかす。
【００１８】  屋根用融雪装置４内を早く温めるためにカバー１０を付ける。
【００１９】  図３のように屋根用融雪装置４の軒先側１１は角度をつけ妻側１２の方に絞り１３を付けることで、軒先側１１から空気を妻側１２へと流れやすくすることで雪と屋根材５の間のかまくらの様な状況を防ぐ。
【符号の説明】
【００２０】  １  温水器
２  ポンプ
３  伝熱性の良い配管
４  屋根用融雪装置
５  屋根材
６  パンチングメタル
７  取付台
８  水流モーター
９  ファン
１０  カバー
１１  軒先側
１２  妻側
１３  絞り
１４  保温性の良い配管
【図１】
0003184785.tif 000003
【図２】
0003184785.tif 000004
【図３】
0003184785.tif 000005
(57)【要約】      （修正有）【課題】手袋を装着した状態でも人差指又は親指袋を指袋の外に，片手のみの動作で素早く出してタッチパネルを操作できる手袋を提供する。【解決手段】手袋１１の人差指袋１３又は親指袋の背面部に指袋の長手方向に切り込み１２を設け、その切れ込みより人差指を人差指袋１３又は親指を親指袋から出し入れ自在とする。また、人差し指袋又は親指袋と中指袋のそれぞれの先端付近に面ファスナー等の着脱手段１５，１６を設け、手袋として通常使用時はそれぞれの指袋は分離して動かし、人差し指又は親指を露出したい時は、手袋の中指袋と人差指袋１３又は親指袋を着脱手段で固定可能とする。【選択図】図１
0003184787.tif 000002
【実用新案登録請求の範囲】
【請求項１】
手袋の人差指袋と親指袋の背面又は側面に指袋の長手方向に切り込みを設け、切れ込みより人差指袋内部にある人差指、又は、親指を外に出し入れ自在としたことを特徴とする手袋。
【請求項２】
手袋の人差指袋と中指袋のそれぞれ先端部近傍に、互いが接着または分離できる着脱手段を設けた請求項１の手袋。
【請求項３】
人差指袋と中指袋の先端部近傍に設けた着脱手段は、人差指袋と中指袋の長さの違いを利用して、人差指と中指を伸ばしている時は相互の着脱手段が接着しない位置に設けられた請求項１または請求項２の手袋
【請求項４】
手袋の親指袋先端近傍と中指袋の手のひら側付け根付近にそれぞれに互いが接着または分離できる着脱手段を設けた請求項１の手袋。
【考案の詳細な説明】
【技術分野】
【０００１】  本考案は、携帯電話やスマートフォン等のタッチパネル式端末を操作する手袋に関するものである。
【背景技術】
【０００２】  手袋を装着したままでは携帯電話やスマートフォン等のタッチパネルの操作を行うことができない
手袋の素材に通電式繊維を織り込んでいるものがある（先行文献１参照）、
また先行文献２には手袋の人差指と親指の手のひら側を引っ張り露出させるものもある（先行文献２参照）。
【先行技術文献】
【先行文献１】
特許公開２０１２−１４５８９２
【先行文献２】
実用登録３１６８２２１
【考案の概要】
【考案が解決しようとする課題】
【０００４】  手袋を装着している際に、携帯電話やスマートフォン等のタッチパネル式の端末での着信受話操作をする時は、その都度手袋を脱いだ上でタッチパネル操作しなければならず、素早く受話操作ことは不可能だった。
また、通電式繊維を手袋の人差し指や親指に織り込んだ手袋を使用している場合は、作業中に手袋に付着したゴミや塵で精密なタッチパネル端末を汚したり破損してしまうこともある。
本考案は、以上の問題点を解決するためになされたものである。
【課題を解決するための手段】
【０００５】  手袋の人差指袋と親指の背面部に指袋の長手方向に縦長の切り込みを設け、その切れ込みより人差指又は親指を指袋から出し入れ自在とする。
また、人差し指袋と中指袋のそれぞれの先端付近に面ファスナー等の着脱可能な手段を設け、それぞれの面ファスナー等の着脱手段で固定し、人差し指又親指を指袋から容易に露出し易くする。
手袋としての通常使用時は手袋の人差し指袋と中指袋の長さの違いを利用し通常時は接着されない、又親指の接着面は隣接していないため通常時は接着されない。
【考案の効果】
【０００６】  従来の手袋を装着した状態での作業中や寒冷時に、携帯電話やスマートホーン等のタッチパネルの操作をする際に、手袋を装着したまま人差し指又は人差指と親指だけを手袋の指袋の切れ込みから素早く露出させて、タッチパネルを操作ができる。タッチパネル操作後は、素早く指を指袋に収納できる。作業効率がよくなり、手袋の防寒、防護の機能を損なわない。また、通常の手袋装着時は、中指袋と人差し指袋の側面に設けた面ファスナーなど着脱手段は相互に分離した位置にあることにより、相互が付着することがなく、日常の作業に支障はない。
又親指の接着面も隣接していないため通常時は接着されない。
【図面の簡単な説明】
【０００７】
【図１】本考案の手袋の構造を示す正面図
【図２】本考案の手袋の人差指と中指を接着状態を示す正面図
【図３】本考案の使用例を示す斜視図
【図４】本考案の親指部分の切れ込みを示す正面図
【図５】本考案の手袋の手のひら側を示す正面図
【考案を実施するための形態】
【０００８】以下、本考案の実施の形態を説明する。
（イ）手袋（１１）の人差指袋の背面に指袋の長手方向に切り込み（１２）を設け、切れ込み（１２）より人差指袋（１３）の内部にある人差指を外に出し入れ自在とする。
（ロ）人差指袋（１３）の中指側の側面の先端部付近に面ファスナーなど着脱手段雄片（１５）を設け、中指袋（１４）の薬指側の側面の先端部付近に面ファスナーなど中指着脱手段雌片（１６）を設け、それらの着脱手段は相互に着脱自在とする。
（ハ）人差指袋（１３）に比べて中指袋（１４）は長め形成されているために人差指袋（１３）の側面先端に設けられた人差し指着脱手段雄片（１５）と中指袋（１４）の側面の先端に設けられた中指着脱手段雌片（１６）は、通常時は相互に接着しない位置にあり着脱はされない。中指袋（１４）が下方に折り曲げられたときに人差指袋（１３）の着脱手段と合致する位置となり、着脱が可能となる。
（ニ）手袋（１１）の親指袋の背面に指袋の長手方向に切り込み（４１）を設け、切れ込み（４１）より親指袋（４３）の内部にある親指を外に出し入れ自在とする。
（ホ）親指袋（４３）の人差指側の側面の先端部付近に面ファスナーなど親指の着脱手段雄片（４２）を設け、中指袋（１４）の手のひら側の面の付け根部付近に面ファスナーなど中指手のひら側着脱手段雌片（５２）を設け、それらの着脱手段は相互に着脱自在とする。
（ヘ）本考案は以上の構成からなり、本考案を使用するときは次の通りである。手袋（１１）の人差指袋（１３）の面ファスナーなどの着脱手段（１５）と中指袋（１４）の着脱手段（１６）を接着して人差指袋を中指袋に固定し、中指を真直にして、かつ人差指を中指から離すように動作し、人差指（２１）を切り込み（１２）から人差指袋（１３）の外に露出させる。露出させた人差指でタッチパネル使用端末（３１）のタッチパネル操作面（３２）を操作する。
（ト）切れ込み（１２）は人差指上側に設けた場合も、横側に設けた場合も本考案は同じ効果がある。
（チ）親指袋の切れ込み（４１）は親指上側に設けた場合も、横側に設けた場合も本考案は同じ効果がある。
（リ）通常の手袋装着時には手袋（１１）の人差指袋の着脱手段（１５）と中指袋の着脱手段（１６）は着脱可能面が指の長さの違いにより接着されない。通常の手袋装着時には手袋（１１）の親指袋の着脱手段（４２）と中指袋の着脱手段（５１）は着脱可能面が隣接していないため接着されない。
【符号の説明】
【０００９】１１手袋、１２切り込み、１３人差指袋、１４中指袋  １５人差指の接着手段、１６中指の接着手段、２１人差指、３１タッチパネル使用端末、３２タッチパネル操作面、４１親指袋の切り込み  ４２親指の接着手段  ４３親指袋  ５１中指手のひら側の接着手段
【図１】
0003184787.tif 000003
【図２】
0003184787.tif 000004
【図３】
0003184787.tif 000005
【図４】
0003184787.tif 000006
【図５】
0003184787.tif 000007